(57)【要約】  【課題】樹脂製のオイルピックアップの熱変形による軸芯のずれやがたつきを防止し、信頼性の高い圧縮機を提供する。  【解決手段】クランクシャフト１１７の主軸部下端１２５に設けた空洞部１３０にはオイル１０５内に開口するオイルピックアップ１４１を配設するとともにオイルピックアップ１４１は、圧縮コイルばね１５０によってクランクシャフト１１７の主軸部１１５へ軸方向に圧接固定しているので、オイルピックアップ１４１には常に圧縮コイルばね１５０によって押さえる力が働き軸芯のずれやがたつきを防止できるという作用を有するため、安定したオイル供給ができるので、信頼性の高い圧縮機を提供できる。【選択図】図２
2006144728.tif 000002
【特許請求の範囲】
【請求項１】
密閉容器内に冷媒ガスおよびオイルを封入するとともに前記冷媒ガスを圧縮する圧縮要素を収容し、前記圧縮要素を構成するクランクシャフトの主軸部下端に前記オイル内に開口する樹脂製のオイルピックアップを同軸状に配設するとともに、前記オイルピックアップはスプリングによって前記クランクシャフトの主軸部下端へ軸方向に圧接固定された密閉型電動圧縮機。
【請求項２】
スプリングは、圧縮コイルばねである請求項１に記載の密閉型電動圧縮機。
【請求項３】
圧縮コイルばねは、一端が樹脂製のオイルピックアップの外径に圧入され、他端がクランクシャフトの主軸部下端に設けた空洞部の内径に圧入される請求項２に記載の密閉型電動圧縮機。
【請求項４】
圧縮コイルばねは、上端に研削面を形成した請求項３に記載の密閉型電動圧縮機。
【請求項５】
圧縮コイルばねはクランクシャフトの主軸部下端に設けた空洞部の内径側に形成されたねじ溝に嵌装されている請求項２に記載の密閉型電動圧縮機。
【請求項６】
クランクシャフトは、主軸部下端に設けた空洞部の内径側にテーパ部を設け、樹脂製のオイルピックアップ上端部外径側にテーパ部を設けるとともに、前記両テーパ部の面同士をスプリングによって軸方向に圧接させた請求項１に記載の密閉型電動圧縮機。
【発明の詳細な説明】
【技術分野】
【０００１】
本発明は密閉型電動圧縮機（以下圧縮機という）の摺動部にオイルを供給するオイルピックアップの改良に関するものである。
【背景技術】
【０００２】
従来、この種の圧縮機は樹脂製のオイルピックアップをクランクシャフトの主軸部下端に圧入し、樹脂製のオイルピックアップに設けた係止孔がクランクシャフトの主軸部下端に嵌挿されたガス抜きピンに当接し挟み込むようにして樹脂製のオイルピックアップをクランクシャフトに保持したものがある（例えば、特許文献１参照）。
【０００３】
以下、図面を参照しながら上記従来の圧縮機を説明する。
【０００４】
図５は、特許文献１に記載された従来の圧縮機の横断面図、図６は従来の圧縮機の要部拡大図である。図５、図６において、密閉容器１内には、電動要素２とこの電動要素２により駆動される圧縮要素３とが複数のスプリング４によって弾性的に保持され、底部に、オイル５を貯留している。
【０００５】
圧縮要素３は、シリンダ１０を形成するブロック１１とシリンダ１０内に往復自在に嵌入されたピストン１２とブロック１１の軸受け部１３に軸支され外周に螺旋溝１４を有する主軸部１５及び偏芯部１６からなるクランクシャフト１７と偏芯部１６とピストン１２を連結するコンロッド１８とを備えレシプロ式の圧縮要素３を形成している。
【０００６】
電動要素２は、ブロック１１の下方に固定された巻線２０を施した固定子２１と回転子２２から構成されている。回転子２２はクランクシャフト１７の主軸部１５に焼嵌め等で固定されている。主軸部１５は、主軸下端２５に空洞部３０とガス抜き孔３１を有し、ガス抜き孔３１には、ガス抜きピン３２が嵌挿されている。樹脂製のオイルピックアップ４０は、上端に割溝４１と係止孔４２を有し、割溝４１をガス抜きピン３２に合わせ空洞部３０に圧入し、係止孔４２がガス抜きピン３２を挟み込んで固定保持されている。また樹脂製のオイルピックアップ４０は、下端がオイル５に浸漬している。
【０００７】
以上のように構成された圧縮機について以下にその動作を説明する。
【０００８】
電動要素２に通電されると、回転子２２は回転しこれに伴ってクランクシャフト１７も回転し、圧縮要素３は、所定の圧縮動作を行う。オイル５は、樹脂製のオイルピックアップ４０の下端から空洞部３０へ遠心力により引き上げられ、主軸部１５外周に形成された螺旋溝１４を通り、各摺動部へ給油して耐摩耗性の向上と各部の冷却を行っている。
【特許文献１】特開平４−９４４７６号公報
【発明の開示】
【発明が解決しようとする課題】
【０００９】
しかしながら、上記従来の構成では、密閉容器１内の水分量を除去する乾燥工程や圧縮機運転時において圧縮要素３に高熱が加わると、空洞部３０に圧入されている樹脂製のオイルピックアップ４０は、鋳物等でできたクランクシャフト１７より線膨張係数が大きいため空洞部３０内で熱変形する。その結果、樹脂製のオイルピックアップ４０は、空洞部３０内で傾き主軸部１５と軸芯がずれ、クランクシャフト１７の回転により樹脂製のオイルピックアップ４０内に発生する遠心力が弱まり遠心力により引き上げられ各摺動部へ供給されるオイル量が減少するという課題を有していた。
【００１０】
また熱変形により樹脂製のオイルピックアップ４０外径と空洞部３０内径に隙間が生じ、樹脂製のオイルピックアップ４０が空洞部３０内でがたついたり、遠心力により引き上げられたオイルがこの隙間から漏れ各部摺動部へ供給されるオイル量が減少するという課題を有していた。
【００１１】
本発明は、上記従来の課題を解決するもので、安定したオイル供給ができるので信頼性の高い圧縮機を提供することを目的とする。
【課題を解決するための手段】
【００１２】
上記従来の課題を解決するために本発明の圧縮機は、クランクシャフトの主軸部下端にオイル内に開口する樹脂製のオイルピックアップを同軸状にスプリングによってクランクシャフトの主軸部下端へ軸方向に圧接固定したもので、樹脂製のオイルピックアップは、主軸部下端に圧入固定されていないので熱変形による軸芯のずれを防止でき、またスプリングの弾性力により常に主軸部下端へ押さえられているので軸芯のずれやがたつきを防止できるという作用を有する。
【発明の効果】
【００１３】
本発明の圧縮機は、安定したオイル供給ができるので信頼性の高い圧縮機を提供できる。
【発明を実施するための最良の形態】
【００１４】
請求項１に記載の発明は、密閉容器内に冷媒ガスおよびオイルを封入するとともに前記冷媒ガスを圧縮する圧縮要素を収容し、前記圧縮要素を構成するクランクシャフトの主軸部下端に前記オイル内に開口する樹脂製のオイルピックアップを同軸状に配設するとともに、前記オイルピックアップは、スプリングによって前記クランクシャフトの主軸部下端へ軸方向に圧接固定されたもので樹脂製のオイルピックアップは、主軸部下端に圧入固定されていないので樹脂製のオイルピックアップと鋳物等でできたクランクシャフトの線膨張係数の違いにより発生する樹脂製のオイルピックアップの熱変形がなくなり軸芯のずれやがたつきが防止でき、またスプリングの弾性力により常に主軸部下端へ押さえられているのでがたつきを防止できるという作用を有するため、安定したオイル供給ができるので信頼性の高い圧縮機を提供できる。
【００１５】
請求項２に記載の発明は、請求項１に記載の発明のスプリングは圧縮コイルばねであるものでスプリングを安価な圧縮コイルばねで作成できるため請求項１に記載の発明に加えてコスト低減をすることができる。
【００１６】
請求項３に記載の発明は、請求項２に記載の発明の圧縮コイルばねは、一端がオイルピックアップの外径に圧入され、他端がクランクシャフトの主軸部下端に設けた空洞部の内径に圧入されたもので樹脂製のオイルピックアップは空洞部内で確実に圧縮コイルばねにより圧入固定され、樹脂製のオイルピックアップの軸芯のずれ、がたつき、抜けを防止できるという作用を有するため、請求項２に記載の発明に加えてさらに安定したオイル供給ができるので信頼性の高い圧縮機を提供できる。
【００１７】
請求項４に記載の発明は、請求項２に記載の発明の圧縮コイルばねは、上端に研削面を形成したもので、樹脂製のオイルピックアップは、圧縮コイルばねの研削面で全周に渡り均一にクランクシャフトの主軸部下端へ軸方向に圧接固定されるため、樹脂製のオイルピックアップの軸芯のずれ、がたつきを防止できるという作用を有するため、請求項３に記載の発明に加えてさらに安定したオイル供給ができるので信頼性の高い圧縮機を提供できる。
【００１８】
請求項５に記載の発明は、請求項２に記載の発明の圧縮コイルばねは、クランクシャフトの主軸部下端に設けた空洞部の内径側に形成されたねじ溝に嵌装されたもので、スプリングを回転させながら空洞部内に容易に確実に嵌装できるため請求項２に記載の発明に加えてさらに組立時の作業性がよい圧縮機を提供できる。
【００１９】
請求項６に記載の発明は、請求項１に記載の発明のクランクシャフトは、主軸部下端に設けた空洞部の内径側にテーパ部を設け、樹脂製のオイルピックアップ上端部外径側にテーパ部を設けるとともに、前記両テーパ部の面同士をスプリングによって軸方向に圧接させたものでクランクシャフトとオイルピックアップに設けられたテーパ形状により両者の線膨張係数の違いにより発生する径方向の熱膨張を軸方向の変位に変換し、熱変形を吸収し確実にオイルピックアップのがたつきを防止し、さらにオイルピックアップと主軸部の軸芯を一致させる作用を有するため請求項１に記載の発明に加えてさらに安定したオイル供給ができるので信頼性の高い圧縮機を提供できる。
【００２０】
以下、本発明の実施の形態について、図面を参照しながら説明する。尚、この実施の形態によってこの発明が限定されるものではない。
【００２１】
（実施の形態１）
図１は、本発明の実施の形態１における圧縮機の横断面図、図２は同実施の形態における要部拡大図である。
【００２２】
図１、図２において、密閉容器１０１内には、電動要素１０２とこの電動要素１０２により駆動される圧縮要素１０３とが複数のスプリング１０４によって弾性的に保持され、底部に、オイル１０５を貯留している。
【００２３】
圧縮要素１０３は、シリンダ１１０を形成するブロック１１１と、シリンダ１１０内に往復自在に嵌入されたピストン１１２と、ブロック１１１の軸受け部１１３に軸支され外周に螺旋溝１１４を有する主軸部１１５及び偏芯部１１６からなるクランクシャフト１１７と、偏芯部１１６とピストン１１２を連結するコンロッド１１８とを備えレシプロ式の圧縮要素１０３を形成している。
【００２４】
電動要素１０２は、ブロック１１１の下方に固定された巻線１２０を施した固定子１２１と回転子１２２から構成されている。回転子１２２は、クランクシャフト１１７の主軸部１１５に焼嵌め等で固定されている。
【００２５】
主軸部１１５は主軸部下端１２５に空洞部１３０を形成するとともに空洞部１３０の開口端１３１は、内径が広がった段付きの取付け面１３２を形成している。
【００２６】
オイル１０５内にキャップ状の先端１４０が開口するＰＢＴ等の樹脂材料でできたオイルピックアップ１４１は、内部に一体成形されたディバイダー１４２を有し、後端１４３はつば状に広がったリング状の平面部１４４を形成している。
【００２７】
オイルピックアップ１４１は、圧縮コイルばね１５０によってリング状平面部１４４を取付け面１３２へ軸方向に圧接固定されている。また圧縮コイルばね１５０は一端がオイルピックアップ１４１の後端１４３外径に圧入され、他端が空洞部１３０の開口端１３１内径に圧入されている。また、圧縮コイルばね１５０の少なくとも上端には研削面１５２を形成している。
【００２８】
以上のように構成された圧縮機について以下その動作、作用を説明する。
【００２９】
電動要素１０２に電気が供給されると回転子１２２が回転しこれに伴ってクランクシャフト１１７も回転し、偏芯部１１６の偏芯運動がコンロッド１１８を介してピストン１１２をシリンダ１１０内で往復運動させることで圧縮動作を行う。
【００３０】
オイル１０５は、オイルピックアップ１４１の先端１４０から空洞部１３０へ遠心力により引き上げられ、主軸部１１５外周に形成された螺旋溝１１４を通り、各摺動部へ給油して耐摩耗性の向上と各部の冷却を行っている。
【００３１】
ＰＢＴ等の樹脂材料でできたオイルピックアップ１４１は、鋳物等でできたクランクシャフト１１７より線膨張係数が大きいため空洞部１３０内でクランクシャフト１１７より熱膨張するが、空洞部１３０内に圧入固定されていないので熱変形を生じないため、がたつきが発生しない。
【００３２】
またオイルピックアップ１４１は圧縮コイルばね１５０の弾性力により常にリング状平面部１４４を取付け面１３２へ圧接固定し、かつ圧縮コイルばね１５０は一端がオイルピックアップ１４１の後端１４３に圧入され、他端が空洞部１３０の開口端１３１に圧入されている。オイルピックアップ１４１やクランクシャフト１１７が熱膨張してもオイルピックアップ１４１は圧縮コイルばね１５０の伸縮により常に主軸部１１５の軸芯中心へ支えられる。その結果、オイルピックアップ１４１は軸芯のずれを生じず、安定したオイル供給ができるので信頼性の高い圧縮機を提供できる。
【００３３】
さらにオイルピックアップ１４１は、上端に研削面１５２を形成した圧縮コイルばね１５０でリング状平面部１４４を全周に渡り均一に主軸部下端１２５の取付け面１３２へ軸方向に圧接固定されるため、オイルピックアップ１４１の軸芯のずれやがたつきを防止できるため、さらに安定したオイル供給ができるので信頼性の高い圧縮機を提供できる。
【００３４】
（実施の形態２）
図３は、本発明の実施の形態２における圧縮機の横断面図、図４は同実施の形態における要部拡大図である。
【００３５】
図３、図４において、密閉容器２０１内には、電動要素２０２とこの電動要素２０２により駆動される圧縮要素２０３とが複数のスプリング２０４によって弾性的に保持され、底部にオイル２０５を貯留している。
【００３６】
圧縮要素２０３は、シリンダ２１０を形成するブロック２１１と、シリンダ２１０内に往復自在に嵌入されたピストン２１２と、ブロック２１１の軸受け部２１３に軸支され外周に螺旋溝２１４を有する主軸部２１５及び偏芯部２１６からなるクランクシャフト２１７と、偏芯部２１６とピストン２１２を連結するコンロッド２１８とを備えレシプロ式の圧縮要素２０３を形成している。
【００３７】
電動要素２０２は、ブロック２１１の下方に固定された巻線２２０を施した固定子２２１と回転子２２２から構成されている。回転子２２２はクランクシャフト２１７の主軸部２１５に焼嵌め等で固定されている。
【００３８】
主軸部２１５の主軸部下端２２５に設けた空洞部２３０の開口端２３１はねじ溝２３２とクランクシャフト２１７上方に向かって狭まるようなテーパを設けたテーパ部２３４を形成している。
【００３９】
オイル２０５内にキャップ状の先端２４０が円形に開口するＰＢＴ等の樹脂材料でできたオイルピックアップ２４１は、内部に一体成形されたディバイダー２４２を有し、後端２４３はつば状に広がったリング状平面部２４４と後端２４３に向かって狭まるようなテーパを設けたデーパ部２４５が形成されている。テーパ部２４５はテーパ部２３４と面同士で接するようにねじ溝２３２に嵌装し挿入された圧縮コイルばね２５０によってリング状平面部２４４をテーパ部２３４へ軸方向に圧接固定されている。
【００４０】
以上のように構成された圧縮機について以下その動作、作用を説明する。
【００４１】
電動要素２０２に電気が供給されると回転子２２２が回転しこれに伴ってクランクシャフト２１７も回転し、偏芯部２１６の偏芯運動がコンロッド２１８を介してピストン２１２をシリンダ２１０内で往復運動させることで圧縮動作を行う。オイル２０５は、オイルピックアップ２４１の下端から空洞部２３０へ遠心力により引き上げられ、主軸部２１５外周に形成された螺旋溝２１４を通り、各摺動部へ給油して耐摩耗性の向上と各部の冷却を行っている。
【００４２】
オイルピックアップ２４１は、鋳物等でできたクランクシャフト２１７より線膨張係数が大きいため空洞部２３０内でクランクシャフト２１７より熱膨張するが、クランクシャフト２１７の主軸部下端２２５の空洞部２３０に設けたテーパ部２３４とオイルピックアップ２４１の上端に設けたテーパ部２４５の面同士を滑らせることで熱膨張を軸方向の変位に変換し、オイルピックアップ２４１の軸芯のずれやがたつきを防止できる。
【００４３】
また、圧縮コイルばね２５０はクランクシャフト２１７の主軸部下端２２５の空洞部２３０に設けたねじ溝２３２に嵌装されていることにより、圧縮コイルばね２５０の反発によるはずれを防止し、さらに確実にオイルピックアップ２４１のがたつきを防止することができるという作用を有する。
【００４４】
よって、安定したオイル供給ができるので信頼性の高い圧縮機を提供できる。
【産業上の利用可能性】
【００４５】
以上のように、本発明にかかる圧縮機は、オイルポンプを有するクランクシャフトの主軸部下端に同軸状に配設された樹脂製のオイルピックアップおいて、クランクシャフトとの線膨張係数の違いにより生じる熱変形による軸芯のずれやがたつきを防止し安定したオイル供給ができるので、信頼性の高い圧縮機を提供できるので自販機、冷凍ショーケース、除湿機などの用途にも適用できる。
【図面の簡単な説明】
【００４６】
【図１】本発明の実施の形態１における横断面図
【図２】本発明の実施の形態１における要部拡大図
【図３】本発明の実施の形態２における横断面図
【図４】本発明の実施の形態２における要部拡大図
【図５】従来の圧縮機の横断面図
【図６】従来の圧縮機の要部拡大図
【符号の説明】
【００４７】
１０１，２０１  密閉容器
１０３，２０３  圧縮要素
１０５，２０５  オイル
１１７，２１７  クランクシャフト
１２５，２２５  主軸部下面
１３０，２３０  空洞部
１４１，２４１  オイルピックアップ
１５０，２５０  圧縮コイルばね
１５２  研削面
２３２  ねじ溝
２３４，２４５  テーパ部
【図１】
2006144728.tif 000003
【図２】
2006144728.tif 000004
【図３】
2006144728.tif 000005
【図４】
2006144728.tif 000006
【図５】
2006144728.tif 000007
【図６】
2006144728.tif 000008